(57)【要約】【課題】交通状況をより効率的に入力する為の交通情報記録支援システムを提供することを課題とする。【解決手段】交通情報を記録するための交通情報記録支援システムであって、交通情報の入力を行うために、交通情報を入力するためのカウンタセット及び、道路画像Ｒが表示される入力画面を表示する入力画面表示手段３と、入力された交通情報に、前記交通情報の入力を行った位置情報を紐付ける位置設定手段と、を備え、前記カウンタセットは、ある進入路から交差点への進行について、直進又は右左折の少なくとも１以上を入力可能な１組の車両カウンタＶを、進入路を異にして複数含むことを特徴とする。【選択図】図３
2017215922.tif 000002
【特許請求の範囲】
【請求項１】
交通情報を記録するための交通情報記録支援システムであって、
交通情報の入力を行うために、交通情報を入力するためのカウンタセット及び、道路画像が表示される入力画面を表示する入力画面表示手段と、
入力された交通情報に、前記交通情報の入力を行った位置情報を紐付ける位置設定手段と、を備え、
前記カウンタセットは、ある進入路から交差点への進行について、直進又は右左折の少なくとも１以上を入力可能な１組の車両カウンタを、進入路を異にして複数含むことを特徴とする交通情報記録支援システム。
【請求項２】
複数の組の車両カウンタによって、交差点からある退出路への進行が入力される場合、前記退出路への進行を集計する退出集計手段を備えることを特徴とする請求項１に記載の交通情報記録支援システム。
【請求項３】
前記入力画面表示手段を介して交通情報を入力する為の交通情報記録支援装置を２以上備え、
複数の前記交通情報記録支援装置で記録された交通情報を、地図上又は一覧の少なくとも一方で表示させる外部集計取得手段を備えることを特徴とする請求項１又は請求項２に記載の交通情報記録支援システム。
【請求項４】
前記カウンタセットは、歩行者の横断を入力するための歩行者カウンタを備えることを特徴とする請求項１〜３の何れかに記載の交通情報記録支援システム。
【請求項５】
交通情報の入力可能時間を計測する入力可能時間計測部と、
前記入力可能時間を前記入力画面上に表示する時間表示手段と、を備えることを特徴とする請求項１〜４の何れかに記載の交通情報記録支援システム。
【請求項６】
前記交通情報と、前記道路画像と、を重ねた集計画像を表示する集計画面表示手段を備えることを特徴とする請求項１〜５の何れかに記載の交通情報記録支援システム。
【請求項７】
前記集計画像の方位を設定するための方位設定手段を備えることを特徴とする請求項６に記載の交通情報記録支援システム。
【請求項８】
前記方位設定手段は、前記集計画像を回転させることで方位を設定可能であることを特徴とする請求項７に記載の交通情報記録支援システム。
【請求項９】
前記交通情報の位置情報に基づいて、地図上に交通情報の集計位置を表示する地図表示手段を備えることを特徴とする請求項１〜８の何れかに記載の交通情報記録支援システム。
【請求項１０】
前記地図表示手段で表示した地図上に、集計した交通情報に基づいて交通量を可視化する可視化手段を備えることを特徴とする請求項９に記載の交通情報記録支援システム。
【請求項１１】
前記カウンタセットに含まれるカウンタを用いて、設定された種別ごとに対象を計数する為の種別選択手段を備えることを特徴とする請求項１〜１０の何れかに記載の交通情報記録支援システム。
【請求項１２】
前記種別選択手段は、入力画面に表示されたそれぞれのカウンタに対するフリック入力の方向に応じて、種別が紐付けられた交通情報の入力を受け付けることを特徴とする請求項１１に記載の交通情報記録支援システム。
【請求項１３】
交通情報を記録するための交通情報記録支援装置であって、
交通情報の入力を行うために、交通情報を入力するためのカウンタセット及び、道路画像が表示される入力画面を表示する入力画面表示手段と、
入力された交通情報に、前記交通情報の入力を行った位置情報を紐付ける位置設定手段と、を備え、
前記カウンタセットは、ある進入路から交差点への進行について、直進又は右左折の少なくとも１以上を入力可能な１組の車両カウンタを、進入路を異にして複数含むことを特徴とする交通情報記録支援装置。
【請求項１４】
交通情報を記録するための交通情報記録支援プログラムであって、
コンピュータを、交通情報の入力を行うために、交通情報を入力するためのカウンタセット及び、道路画像が表示される入力画面を表示する入力画面表示手段と、
入力された交通情報に、前記交通情報の入力を行った位置情報を紐付ける位置設定手段と、として機能させ、
前記カウンタセットは、ある進入路から交差点への進行について、直進又は右左折の少なくとも１以上を入力可能な１組の車両カウンタを、進入路を異にして複数含むことを特徴とする交通情報記録支援プログラム。
【発明の詳細な説明】
【技術分野】
【０００１】
本発明は、交通量の集計を行う為の交通情報記録支援システムに関するものである。
【背景技術】
【０００２】
従来、調査対象となった個所の道路脇から、調査員が車両や歩行者の数をカウントすることで交通量調査が行われている。交通量調査の調査員は、機械式のカウンタを用いて、車両別の交通量や進行方向別の交通量等をカウントし、交通量調査を行っていた。
【０００３】
しかしながら、複数種類の対象をカウントする為の機械式カウンタセットは大きく、取り回しが容易ではない。また、集計時間や集計結果のアウトプットを調査員が人為的に行っていたため、作業ミスの発生や、集計に時間がかかるといった問題が生じていた。
【０００４】
このような課題を解決する技術として、１種類の移動物体種別に対して直進、右左折に対応した３個のキーを横方向に並べたカウンタセットを、４種類の移動物体種別分、縦方向に並べて配置し、同様の並びで結果を表示部に表示する交通量調査集計用入力装置に関する技術が知られている（特許文献１）。
【０００５】
また、交通量計測のためのプログラムを具備する位置計測機能付きの携帯端末と、前記携帯端末からの交通量データを受信して交通量の集計を行なうサーバと、で構成され、交通量調査の集計・報告を自動化・ペーパレス化する技術が知られている（特許文献２）。
【先行技術文献】
【特許文献】
【０００６】
【特許文献１】特願２０１０−１２８８７２号公報
【特許文献２】特願２００４−３０２８１６号公報
【発明の概要】
【発明が解決しようとする課題】
【０００７】
しかしながら、前述した従来の技術には、つぎのような改善すべき問題点が残されており、効果的に交通量の調査を行うことはできない。
【０００８】
従来の技術に記載の交通量調査装置では、カウンタへの入力を直観的に行うことができず、割り振られたカウンタの配置を記憶して作業を行う必要がある。カウンタの配置を記憶する必要性や、カウンタの大きさ、操作性などの制約から、通常、調査員は、交差点への１の進入路の交通情報を調査するよう配置される。そのため、十字路での調査を行う場合には、交差点への進入路ごとに合計で４人の調査員を配置する必要が生じてしまう。
【０００９】
また、通常、調査員は、交差点の道路脇等のある地点から調査を行っており、調査結果が、どの道路に対して、どの方向から調査を行ったのかを別途記録する必要があり、調査結果を記録する作業が煩雑になっていた。
【００１０】
本発明は、上記のような実状に鑑みてなされたものであり、交通状況をより効率的に入力する為の交通情報記録支援システムを提供することを課題とする。
【課題を解決するための手段】
【００１１】
上記課題を解決するために、本発明は、交通情報を記録するための交通情報記録支援システムであって、
交通情報の入力を行うために、交通情報を入力するためのカウンタセット及び、道路画像が表示される入力画面を表示する入力画面表示手段と、
入力された交通情報に、前記交通情報の入力を行った位置情報を紐付ける位置設定手段と、を備え、
前記カウンタセットは、ある進入路から交差点への進行について、直進又は右左折の少なくとも１以上を入力可能な１組の車両カウンタを、進入路を異にして複数含むことを特徴とする。
【００１２】
このような構成とすることで、異なる進入路からの車両の進行を、一人の調査員のみで集計することが可能となる。また、入力画面に、交通情報を入力する為のカウンタ及び道路画像が表示されることで、調査員は、直観的にカウンタを操作し、交通量の集計を実施することができる。
【００１３】
本発明の好ましい形態では、複数の組の車両カウンタによって、交差点からある退出路への進行が入力される場合、前記退出路への進行を集計する退出集計手段を備えることを特徴とする。
このような構成とすることで、ある退出路への進行の総計を、容易に集計することが可能となる。
【００１４】
本発明の好ましい形態では、前記入力画面表示手段を介して交通情報を入力する為の交通情報記録支援装置を２以上備え、
複数の前記交通情報記録支援装置で記録された交通情報を、地図上又は一覧の少なくとも一方で表示させる外部集計取得手段を備えることを特徴とする。
このような構成とすることで、複数の交通情報記録支援装置で記録した交通情報を一括で管理し、確認することができる。
【００１５】
本発明の好ましい形態では、前記カウンタセットは、歩行者の横断を入力するための歩行者カウンタを備えることを特徴とする。
このような構成とすることで、歩行者の横断数を併せて集計することができる。
【００１６】
本発明の好ましい形態では、交通情報の入力可能時間を計測する入力可能時間計測部と、
前記入力可能時間を前記入力画面上に表示する時間表示手段と、を備えることを特徴とする。
このような構成とすることで、集計時間を自動でカウントさせ、単位時間で実施される調査を、より高精度に行うことができる。
【００１７】
本発明の好ましい形態では、前記交通情報と、前記道路画像と、を重ねた集計画像を表示する集計画面表示手段を備えることを特徴とする。
このような構成とすることで、集計結果をより効果的に確認することができる。
【００１８】
本発明の好ましい形態では、前記集計画像の方位を設定するための方位設定手段を備えることを特徴とする。
【００１９】
本発明の好ましい形態では、前記方位設定手段は、前記集計画像を回転させることで方位を設定可能であることを特徴とする。
このような構成とすることで、集計画像の方位を直観的に設定することができる。また、地図上から集計位置を指定して、集計画像を確認するような場合、地図の方位に合せて回転した画像を表示することができるため、集計結果の確認が容易になる。
【００２０】
本発明の好ましい形態では、前記交通情報の位置情報に基づいて、地図上に交通情報の集計位置を表示する地図表示手段を備えることを特徴とする。
このような構成とすることで、地図上に交通情報の集計を行った場所を表示させ、集計された交通情報を確認することができる。
【００２１】
本発明の好ましい形態では、前記地図表示手段は、集計した交通情報に基づいて、地図上で交通量を可視化する可視化手段を備えることを特徴とする。
このような構成とすることで、地図上で交通量の可視化を行い、視覚的に交通量を把握することができる。
【００２２】
本発明の好ましい形態では、前記カウンタを用いて設定された種別ごとに対象を計数する為の種別選択手段を備えることを特徴とする。
【００２３】
本発明の好ましい形態では、前記種別選択手段は、入力画面に表示されたそれぞれのカウンタに対するフリック入力の方向に応じて、種別が紐付けられた交通情報の入力を受け付けることを特徴とする。
このような構成とすることで、車両、歩行者以外のより詳細な種別ごとに、交通情報を記録することが可能となる。また、特にフリック入力によって種別の入力を受け付けることにより、画面の小さなスマートフォンなどにおいても、複数の進入路からの交通量を、更に種別ごとに好適に入力することができる。
【００２４】
本発明は、交通情報を記録するための交通情報記録支援装置であって、
交通情報の入力を行うために、交通情報を入力するためのカウンタセット及び、道路画像が表示される入力画面を表示する入力画面表示手段と、
入力された交通情報に、前記交通情報の入力を行った位置情報を紐付ける位置設定手段と、を備え、
前記カウンタセットは、ある進入路から交差点への進行について、直進又は右左折の少なくとも１以上を入力可能な１組の車両カウンタを、進入路を異にして複数含むことを特徴とする。
【００２５】
本発明は、交通情報を記録するための交通情報記録支援プログラムであって、
コンピュータを、交通情報の入力を行うために、交通情報を入力するためのカウンタセット及び、道路画像が表示される入力画面を表示する入力画面表示手段と、
入力された交通情報に、前記交通情報の入力を行った位置情報を紐付ける位置設定手段と、として機能させ、
前記カウンタセットは、ある進入路から交差点への進行について、直進又は右左折の少なくとも１以上を入力可能な１組の車両カウンタを、進入路を異にして複数含むことを特徴とする。
【発明の効果】
【００２６】
本発明によれば、交通状況をより効率的に入力する為の交通情報記録支援システムを提供することができる。
【図面の簡単な説明】
【００２７】
【図１】本発明の実施形態１に関る交通情報記録支援システムの概要を示す図である。
【図２】本発明の実施形態１に関る交通情報記録支援装置のハードウェア構成図である。
【図３】本発明の実施形態１に関る交通情報記録支援装置の機能ブロック図である。
【図４】本発明の実施形態１に関る入力画面を表示した際の画面表示例である。
【図５】本発明の実施形態１に関る集計結果登録画面を表示した際の画面表示例である。
【図６】本発明の実施形態１に関る集計画像の部分拡大図である。
【図７】本発明の実施形態１に関る地図上に集計結果をプロットした際の画面表示例である。
【図８】本発明の実施形態１に関る地図上に集計結果をプロットした際の画面表示例である。
【図９】本発明の実施形態１に関る交通量の集計処理を行う際の処理フローチャートである。
【図１０】本発明の実施形態１に関る地図上への交通量の可視化を行う際の処理フローチャートである。
【図１１】本発明の実施形態２に関る入力画面の画面表示例である。
【図１２】本発明の実施形態２に関る入力画面の部分拡大図である。
【図１３】本発明の実施形態２に関る入力画面の部分拡大図である。
【図１４】本発明の実施形態２に関る入力画面において、種別選択領域を用いて種別ごとの交通情報を入力する際の処理フローチャートである。
【発明を実施するための形態】
【００２８】
＜実施形態１＞
以下、図面を用いて、実施形態１に関る交通情報記録支援システムについて説明する。なお、以下に示す実施形態は本発明の一例であり、本発明を以下の実施形態に限定するものではなく、様々な構成を採用することもできる。
【００２９】
例えば、本実施形態では交通情報記録支援システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００３０】
本実施形態では、スマートフォンやタブレット端末、ＰＣ等の情報通信端末に交通情報記録支援プログラムをインストールした交通情報記録支援装置を用いて、交差点での車両及び歩行者の交通量に関する情報を、交通情報として記録を行う際の例について説明する。なお、交差点とは、十字路、丁字路、その他２以上の道路が交わる場所における当該２以上の道路が交わる部分を示す。
【００３１】
図１は、実施形態１に関わる交通情報記録支援システムの概要を示す図である。複数の交通情報記録支援装置１は、ネットワークＮを介して記録部２と接続されている。複数の交通情報記録支援装置１で集計された交通情報は、記録部２に記録することができ、複数の交通情報記録支援装置１で集計した集計結果を、複数の装置間で共有することができる。交通情報記録支援装置１は、交通量を調査する調査員１人につき１台保持され、交通情報が記録される。
【００３２】
図２は、実施形態１に関る交通情報記録支援装置１のハードウェア構成の一例を示す図である。交通情報記録支援装置１は、ＣＰＵ１０１と、メモリ１０２と、記憶部１０３と、外部の装置と通信を行うためのインタフェースである通信部１０４と、タッチパネルや物理キー等の入力部１０５と、ディスプレイ等の出力部１０６と、ＧＰＳ受信部１０７と、を備えている。また、記憶部１０３は、オペレーティングシステム１０８と、交通情報記録支援プログラム１０９などが記録されている。交通情報記録支援プログラム１０９は、オペレーティングシステム１０８と協調してその機能を発揮するものである。
【００３３】
通信部１０４は、外部と通信を行うための通信ユニットを備えており、例えば、インターネット、ＷＡＮ、ＬＡＮ、Ｗｉ−Ｆｉ等の通信技術を介して通信を行うことができる。
【００３４】
図３は、実施形態１に関る交通情報記録支援装置１の機能構成例を示す機能ブロック図である。交通情報記録支援装置１は、入力画面表示手段３と、時間表示手段４と、交通情報受付手段５と、交通情報記録手段６と、集計画面表示手段７と、退出集計手段８と、位置設定手段９と、方位設定手段１０と、交通情報出力手段１１と、外部集計取得手段１２と、地図表示手段１３、可視化手段１４と、可視化条件変更手段１５と、を備えている。
【００３５】
また、記憶部１０３には、集計された交通情報と、交通情報の集計が実施された集計位置及び方位を有する位置情報と、交通情報の集計を行った集計者情報と、が記録されている。
【００３６】
入力画面表示手段３は、交通情報の入力を行う為の入力画面を、出力部１０６に表示させる。
【００３７】
図４は、タッチパネル（入力部１０５並びに出力部１０６）を備えたスマートフォン（交通情報記録支援装置１）に、入力画面を表示した際の画面表示例である。入力画面Ｗ１は、道路画像Ｒと、道路画像Ｒと共に配置された複数のカウンタセットＶ１〜Ｖ４、Ｆ１〜Ｆ４と、時間表示手段によって表示された入力可能時間Ｔと、が表示されている。カウンタセットには、交通量の計数を行う為の複数のカウンタが含まれている。
【００３８】
図示例において、道路画像Ｒとして、それぞれの進入路ごとに横断歩道が設けられた十字路の画像を表示している。道路画像Ｒは、交通量の集計を行う場所に応じて変更可能であってもよいし、本例のように固定の画像（十字路）を用いてもよい。
【００３９】
例えば、実際に集計を行う個所が、南北をつなぐ道路及び当該道路から西側に延びた道路によって形成された丁字路であって場合、図示例における右側のカウンタセットを無視して（入力せずに）、調査を行うこともできる。集計を行う場所に応じて道路画像Ｒを変更可能に構成する場合、道路画像Ｒと共に表示するカウンタセットは、道路画像Ｒに対応するように変更されるのが好ましい。本例のように、丁字路における交通量の調査を十字路の道路画像Ｒ並びにカウンタセットを用いて利用する場合、使用しないカウンタセットを登録できるように構成してもよい。
【００４０】
Ｖ１は、図中上側の進入路からの交差点に進入する車両の集計を行う為の車両カウンタである。Ｖ１Ｒは、図中上側の進入路から交差点に進入し、右折して図中左側の退出路に進行する車両の数を集計する為のカウンタであり、Ｖ１Ｌは、図中上側の進入路から交差点に進入し、左折して図中右側の退出路に進行する車両の数を集計する為のカウンタである。Ｖ１Ｃは、図中上側の進入路から交差点に進入し、直進して図中下側の退出路に進行する車両の数を集計する為のカウンタである。
【００４１】
Ｆ１は、図中上側の横断歩道を横断する歩行者の数の集計を行う為の歩行者カウンタである。Ｆ１Ｒは、図中上側の横断歩道を右から左に横断する歩行者の数の集計を行う為のカウンタであり、Ｆ１Ｌは、図中上側の横断歩道を左から右に横断する歩行者の数の集計を行う為のカウンタである。
【００４２】
Ｖ２〜Ｖ４、Ｆ２〜Ｆ４も、Ｖ１、Ｆ１と同様に、交差点への各進入路からの車両の直進及び右左折、並びに車両の右折又は左折方向への歩行者の横断をカウントすることができる。
【００４３】
交通情報は、タッチパネル（入力部１０５）上に表示されたカウンタをタップすることによって、１加算される。また、カウンタの押し方により、集計回数を減算することができる。本例では、カウンタをロングタップすることで、ロングタップを行ったカウンタが１減算され、ご入力時の修正を行うことができる。集計回数の減算は、例えばカウンタをダブルタップする等により行われてもよい。各カウンタの下部には、カウンタごとの集計回数が表示されている。集計回数が加算または減算された際には、交通情報記録支援装置１の振動部（図示せず）が振動し、調査員にフィードバックを与える。
【００４４】
また、入力画面の左上には、時間表示手段４によって、交通情報の入力を行うことが可能な時間である入力可能時間Ｔが表示されている。集計の開始ボタンをタップする等、集計の開始を宣言することで交通情報の入力が開始され、入力可能時間計測部（図示せず）によって入力可能時間Ｔがカウントされる。交通情報の入力の開始後、入力可能時間Ｔ内にカウンタが操作されると集計の回数が増加又は減少し、この時間が終了するまで交通情報の入力が行われる。集計時間は交通情報と紐付けて記憶部１０３に記憶される。
【００４５】
入力された交通情報は、交通情報受付手段５によって受け付けられる。入力可能時間Ｔ経過後に、交通情報記録手段６によって、交通情報として記憶部１０３に記憶される。
【００４６】
図５は、入力可能時間経過後に、集計結果を登録する際の画面表示例である。図５（ａ）は、集計位置及び方位情報の設定を行う前の集計結果登録画面Ｗ２Ａを示し、図５（ｂ）は、集計位置及び方位情報の設定を行った後の集計結果登録画面Ｗ２Ｂを示している。
【００４７】
図５（ａ）に示すように、集計結果登録画面Ｗ２Ａには、集計日時並びに集計位置Ｐと、集計画像Ｓと、が表示されている。この画面において、位置設定手段９によって特定された集計位置の調整と、方位設定手段１０による方位情報の設定と、を行う。また、併せて、テキストなどのメモや、集計時の天気の情報などを交通情報に付随した付随情報を紐付けて記録することができる。
【００４８】
位置設定手段９は、ＧＰＳ受信部１０７を介して取得したＧＰＳ（Global Positioning System）情報並びに、調査員による手動での入力に基づいて、集計の実施位置を記録する。本例では、ＧＰＳ受信部１０７を介して受信したＧＰＳ情報に基づいて集計を実施した位置を大まかに特定し、更に、調査員が手動で地図上のマーカーＭを操作することで、正確な集計位置を特定可能にしている。
【００４９】
方位設定手段１０は、記録した集計画像Ｓに方位の設定を行う。本例では、出力部１０６の画面上側を北として集計画像Ｓを回転させることで、地図と対応した形で集計画像Ｓを記録することができる。本実施形態では、集計画像を、４５度刻みで回転させることができ、８通りの方位で集計画像を記録することができる。集計画像Ｓを回転させる方法は、本例のように任意の角度単位で実施可能に構成してもよいし、自由な角度で回転可能であってもよい。なお、集計位置や方位の設定は、必ずしも集計作業の完了後に行う必要はなく、作業の開始に行われてもよいし、集計結果を確認した際に編集可能であってもよい。
【００５０】
本例における集計画像Ｓでは、交差点からの退出数を表示するように構成されている。必ずしもこのように表示する必要はなく、入力画面Ｗ１と同様に交差点への進入数を表示しても構わないし、双方の表示の切り替えを可能に構成してもよい。
【００５１】
図５（ｂ）は、実施位置の修正及び、集計画像Ｓを回転させた際の集計結果登録画面Ｗ２Ｂの画面表示例である。図５（ｂ）の集計画像Ｓは、図５（ａ）における集計画像Ｓを反時計回りに４５度、即ち、北からの進入路を、北西からの進入路となるように回転させている。実施位置の修正及び方位情報の設定が完了したなら、集計結果を登録する。
【００５２】
図６は、図５（ｂ）に表示した集計画像Ｓの部分拡大図である。集計画像Ｓには、入力画面Ｗ１に表示されたカウンタを介して入力された各進入路からの交通量が表示されている。また、各退出路へ進んだ車両の数は、退出集計手段８によって集計され、集計画像Ｓ上（図示例における車両計の欄）に表示されている。
【００５３】
登録された集計結果は、地図表示手段１３により、集計位置に応じて地図上にプロットされる。図７は、地図上に集計結果をプロットした際の画面表示例である。図７（ａ）は、地図を広域で表示した際の画面表示例であり、図７（ｂ）は、集計結果を一覧で表示した際の画面表示例である。
【００５４】
図７（ａ）に示すように、地図画面Ｗ３を広域で表示した際には、記録された集計結果の件数が地域ごとに表示される。集計結果は、一覧で表示することも可能であり、図示例の画面右上に現れる「一覧表示」を選択することで、一覧画面Ｗ４が表示される。図７（ｂ）は、集計結果を一覧で表示した際の画面表示例である。地図上や一覧上で表示する集計結果を、集計日時や住所、天気、交通量等によってフィルタリングして表示可能であってもよい。
【００５５】
図８（ａ）は、地図を詳細に表示した際の画面表示例である。図８（ａ）は、図７（ａ）に示した地図画面Ｗ３を拡大し、詳細に表示した際の画面表示例である。集計結果をプロットするために地図上に表示されたマーカーＭを選択することで付随情報画面Ｗ５が表示され、交通情報に付随した付随情報が表示される。地図画面Ｗ３を詳細に表示した際には、可視化手段１４によって、地図上に交通量が可視化される。本例では、交通量を２種類の矢印（Ａ１、Ａ２）によって可視化している。図８（ｂ）は、設定した可視化条件の一例を示す図である。
【００５６】
本実施形態では、退出集計手段８で集計された各退出路への交通量及び集計時間に基づいて、各退出路への単位時間当たりの交通量を算出し、単位時間当たりの交通量に基づいて、地図上に交通量を可視化する方法を決定している。そして、決定した可視化方法に基づいて、地図上での交通量の可視化を行う。
【００５７】
本例では、単位時間当たりの交通量に基づいて配置する矢印の種別を決定し、方位設定手段１０により設定された方位情報に応じて、マーカーＭを基端として矢印を配置する。図６の集計画像Ｓの集計結果に対応したマーカーＭ１の場合、図８（ｂ）の可視化条件に基づいて、車両計が１００を超えている南東方向への退出路に、矢印Ａ２が配置される。この矢印の太さや色、形状等を変化させることで、交通量を、視覚的に容易に判断することができる。また、例えば地図上の道に色や模様を付けるなどして、交通量を可視化するようにしても構わない。
【００５８】
なお、本実施形態では、退出路への単位時間当たりの交通量について可視化を行っているが、それに替え、又はそれに加えて、交差点への進入路ごとに交通量の可視化を行ってもよい。また、同様に、歩行者の交通量についても可視化を行ってもよい。
【００５９】
また、可視化条件変更手段１５を用いて、図８（ｂ）に示すような、可視化手段１４で交通量を可視化する際の可視化条件の設定や、可視化して表示する集計結果のフィルタリングを行うことができる。
【００６０】
交通情報記録支援装置１を用いて記録した集計結果は、交通情報出力手段１１を介して記録部２に出力することができる。外部集計取得手段１２を用いて記録部２に記憶された、他の交通情報記録支援装置１での集計結果を取得することで、地図表示手段１３や可視化手段１４等を用いて、他の交通情報記録支援装置１での集計結果を表示することができる。
【００６１】
本実施形態では、交通情報出力手段１１は、集計結果登録画面で集計結果を登録した際に、併せて記録部２に交通情報を出力している。交通情報を出力するタイミングはこれに限られず、どのようなタイミングで、自動的又は任意に出力してかまわない。
【００６２】
自動的に出力を行う場合には、実際の調査を実施して得られたデータ以外にも、練習で登録したデータ等のノイズが出力される場合がある。そのため、交通情報記録支援システムには、記録部２に記憶された交通情報から、調査によって得られたデータを抽出する為の抽出機能（図示せず）が設けられているのが好ましい。抽出機能とは、例えば、集計時間が所定時間（例えば、数十秒）内の調査情報や、地図上のマーカーを手動で移動させていない調査情報等を除外してデータを取り出す機能である。
【００６３】
また、複数の交通情報記録支援装置１を、ＩＤ等を用いてグルーピングしておくことで、外部集計取得手段１２を介して表示する他の交通情報記録支援装置１をグループ単位で共有したり、フィルタリング可能に構成してもよい。また、地図表示手段１３と同様に、集計日時や住所、天気、交通量等によってフィルタリングして表示可能であってもよい。
【００６４】
次いで、図９を用いて、交通情報の入力処理について説明する。まず、集計を行う集計時間が設定されている（ステップＳ１）。そして、調査員が集計位置に赴き、集計の開始ボタンをタップして、集計を開始する（ステップＳ２）。
【００６５】
集計が開始されると、調査員は入力画面を表示してカウンタを操作し、集計を行う（ステップＳ３）。集計作業は、ステップＳ１で設定された集計時間が経過するまで行われる（ステップＳ４）。集計可能時の経過後（ステップＳ４でＹｅｓ（Ｙ））、集計処理を終了する。
【００６６】
集計処理が完了したなら、各退出路への交通量が自動で集計され、集計結果登録画面に表示される（ステップＳ５）。調査員は、集計結果登録画面を用いて、集計を行った集計位置及び、集計画像の方位情報の設定を行う（ステップＳ６）。加えて、任意でコメントや天気等の補足情報を登録し（ステップＳ７）、集計結果の登録を行う（ステップＳ８）。
【００６７】
次いで、図１０を用いて、地図上への交通量の可視化処理について説明する。まず、交通情報の有する各退出路への交通量及び集計時間に基づいて、単位時間あたりの各退出路への交通量が算出される（ステップＳ１１）。単位時間あたりの各退出路への交通量は、交通情報として記録されてもよいし、表示の度に計算されてもよい。ステップＳ１２では、可視化条件が設定される。可視化条件は予め設定された条件を用いてもよいし、任意に変更可能であってもよい。
【００６８】
ステップＳ１３では、単位時間あたりの各退出路への交通量及び可視化条件に基づいて、退出路ごとの可視化の要否や可視化方法が決定される。可視化条件に該当する交通量の退出路がある場合（ステップＳ１４でＹｅｓ（Ｙ））、退出路の方位に基づいて可視化条件に応じたオブジェクトが地図上に配置される。
【００６９】
集計処理が完了したなら、各退出路への交通量が自動で集計され、集計結果登録画面に表示される（ステップＳ５）。調査員は、集計結果登録画面を用いて、集計を行った集計位置及び、集計画像の方位情報の設定を行う（ステップＳ６）。加えて、任意でコメントや天気等の補足情報を登録し（ステップＳ７）、集計結果の登録を行う（ステップＳ８）。
【００７０】
＜実施形態２＞
次いで、図面を用いて実施形態２に関る交通情報記録支援システムについて説明する。なお、実施形態２において、前述の実施形態１と基本的に同一の構成要素については、同一の符号を付してその説明を簡略化する。本実施形態では、実施形態１で行っていた車両並びに歩行者の種別を大分類として、更に車両の種類等より細かな分類で交通量の集計を行う場合について説明する。
【００７１】
図１１は、本発明の実施形態２に関る入力画面の画面表示例を示す図である。本実施形態に関る交通情報記録支援装置１は、種別選択手段を更に備えている。また、本実施形態における交通情報記録支援装置１は、タッチパネル（入力部１０５）を備えたスマートフォンであるとして説明する。
【００７２】
種別選択手段は、実施形態１におけるカウンタを用いて、予め設置された計数対象の種別の情報を、交通情報に紐付けて入力することが可能である。
【００７３】
本実施形態では、種別選択手段は、入力画面に表示されたそれぞれのカウンタに対するフリック入力の方向に応じて、種別情報が紐付けられた交通情報の入力を受け付ける。図１１（ａ）は、交通情報の入力前の入力画面（カウンタ）の部分拡大図を示し、図１１（ｂ）は、交通情報の入力時の入力画面（カウンタ）の部分拡大図を示す。
【００７４】
ユーザは、タッチパネルに表示された入力画面中の歩行者カウンタ（図中のＦ３Ｌ）を選択し、すぐ指を離す（タップする）と、「歩行者」の人数を入力することができる。
【００７５】
ユーザは、タッチパネルに表示された入力画面中の歩行者カウンタ（図中のＦ３Ｌ）を選択し、その状態を維持（ロングタップ）することで、種別選択手段により、種別選択領域ＦＦが表示される。種別選択領域には、予め設定された種別ごとのアイコンが表示される。
【００７６】
対応するアイコンの方向に指をスライド（フリック）させることで、種別ごとの通過数を入力することができる。図１１（ｂ）では、種別選択領域ＦＦが、カウンタＦ３Ｌが表示されていた個所に種別ＦＦ０を、その上側にアイコンＦＦ１を備えた形で表示される。歩行者のアイコンＦＦ０側から自転車のアイコンＦＦ１方向（図中上方向）にフリックすることで、自転車の種別が紐づけられた交通情報を入力することができる。即ち、歩行者の通過数並びに自転車の通過数を、１のカウンタでそれぞれ計数することが可能である。
【００７７】
図１２（ａ）は、交通情報の入力時の入力画面の部分拡大図を示し、図１２（ｂ）は、別の例における交通情報の入力時の入力画面の部分拡大図を示し、図１２（ｃ）は、別の例における種別選択領域の表示例を示す。
【００７８】
ユーザは、タッチパネルに表示された入力画面中の車両カウンタ（図中のＶ３Ｌ）を選択し、すぐ指を離す（タップする）と、「小型乗用車」の数を計数することができる。
【００７９】
ユーザは、タッチパネルに表示された入力画面中の車両カウンタ（図中のＶ３Ｌ）を選択し、その状態を維持（ロングタップ）することで、種別選択手段により、種別選択領域ＶＦが表示される。種別選択領域には、予め設定された種別ごとのアイコンが表示される。
【００８０】
図１２（ａ）では、種別選択領域ＶＦが、カウンタＶ３Ｌが表示されていた個所に種別ＶＦ０を、ＶＦ０の上側にアイコンＶＦ１を、ＶＦ０の右側にアイコンＶＦ２を、ＶＦ０の下側にアイコンＶＦ３を、ＶＦ０の左側にアイコンＶＦ４を備えた十字形の形状で表示される。
【００８１】
また、車両カウンタをロングタップして種別選択領域ＶＦを表示させ、アイコンＶＦ０を選択すると、最先のカウント１件を減算することができる。ＶＦ０側からアイコンＶＦ１方向（図中上方向）にフリックすることで、トラックの種別が紐づけられた交通情報を入力することができる。ＶＦ０側からアイコンＶＦ２方向（図中右方向）にフリックすることで、バスの種別が紐づけられた交通情報を入力することができる。ＶＦ０側からアイコンＶＦ３方向（図中下方向）にフリックすることで、大型乗用車の種別が紐づけられた交通情報を入力することができる。ＶＦ０側からアイコンＶＦ４方向（図中左方向）にフリックすることで、タクシーの種別が紐づけられた交通情報を入力することができる。
【００８２】
図１２（ｂ）は、別の例における交通情報の入力時の入力画面の部分拡大図である。図示例における種別選択領域ＶＦは、アイコンＶＦ０として「小型乗用車」のアイコンが表示されている。タッチパネルに表示された入力画面中の車両カウンタ（図中のＶ３Ｌ）をタップすると、「小型乗用車」の交通情報を入力することができる。同様に、種別選択領域ＶＦを表示させ、アイコンＶＦ０を選択すると、小型乗用車の交通情報を入力することができる。
【００８３】
図１２（ｃ）は、別の例における種別選択領域の表示例である。図示例における種別選択領域ＶＦは、アイコンＶＦ０を円心として、アイコンＶＦ１〜ＶＦ４が放射状に配置された扇形の形状をしている。
【００８４】
図１１、図１２に示すように、種別選択領域の形状は、Ｉ字型（図１１（ｂ））や、十字型（図１２（ａ））、扇形（図１２（ｃ））などを適善採用可能である。また、種別選択領域に表示される種別等、加算や減算（図１２（ａ））も任意に設定してかまわない。種別選択領域上に表示されるアイコンに、集計した種別ごとの交通量を表示するように構成してもよい。
【００８５】
また、本例では、フリック入力により入力する交通情報の種別、加算・減算を指定しているが、その他の入力方法で入力を識別するようにしてもよい。例えば、タッチパネルを押圧する強さ、２本以上の指での選択・スライド入力（マルチタッチ）、任意の図形や文字、を描くジェスチャ入力、又はそれらの組み合わせなどによって、交通情報の加算または減算を行うように構成しても構わない。
【００８６】
図１３は、実施形態２における集計画面の画面表示例である。図１３（ａ）は、集計画像Ｓの部分拡大図を示し、図１３（ｂ）は、別の例における表示選択領域の表示例を示す。本実施形態における集計画像Ｓは、表示選択領域Ｃを備えている。表示選択領域Ｃは、集計画像Ｓに表示する交通情報の種別を選択する為の領域であり、本例では、種別ごとの表示アイコンＣ０〜Ｃ７を備えている。
【００８７】
表示選択領域Ｃで希望の１以上の表示アイコンを選択し、種別を選択することで、集計画像Ｓに表示させる交通情報の種別を設定可能に構成されている。図１３（ａ）では、集計したすべての交通情報の件数の総計を表示する為の表示アイコンＣ０を選択し、当該調査において集計したすべての交通情報を集計画像Ｓに表示している。
【００８８】
図１３（ｂ）は、小型乗用車に関する表示アイコンＣ１、大型乗用車に関する表示アイコンＣ２、歩行者に関する表示アイコンＣ６、自転車に関する表示アイコンＣ７を選択した際の表示選択領域Ｃの一例を示している。本例では、集計画像Ｓの下方に表示選択領域Ｃを設けているが、どのような位置に設けても構わない。
【００８９】
次いで、図１４を用いて、入力画面において、種別選択領域を用いて種別ごとの交通情報を入力する際の処理について説明する。本フローチャートでは、図１２（ａ）の種別選択領域ＶＦを用いて入力を行う場合の例について説明する。
【００９０】
交通情報の集計が開始され、計測時間内か否かが判断される（ステップＳ２１）。計測時間内に車両カウンタＶが選択されると、ユーザの入力の判断がなされ、選択された種別に応じた交通情報の加算、乃至は減算が行われる（ステップＳ２２）。
【００９１】
まず、入力画面に表示された車両カウンタがロングタップされたか否かが判断される（ステップＳ２３）。車両カウンタＶがロングタップされていない場合（ステップＳ２３でＮｏ（Ｎ））、即ち通常のタップが行われた場合、小型乗用車の種別が選択されたと判断し、小型乗用車の種別が紐付けられた交通情報を１加算する（ステップＳ２４）。車両カウンタＶがロングタップされた場合（ステップＳ２３でＹｅｓ（Ｙ））、フリック入力の要求がなされたと判断し、種別選択領域ＶＦを表示する（ステップＳ２５）。
【００９２】
次いで、種別選択領域ＶＦにおけるユーザの入力を判断する（ステップＳ２６）。種別選択領域ＶＦの表示後、上方向にフリック入力された場合（ステップＳ２６でＹｅｓ（Ｙ））、トラックの種別が選択されたと判断し、トラックの種別が紐付けられた交通情報を１加算する（ステップＳ２７）。
【００９３】
右方向にフリック入力された場合（ステップＳ２８でＹｅｓ（Ｙ））、バスの種別が選択されたと判断し、バスの種別が紐付けられた交通情報を１加算する（ステップＳ２９）。左方向にフリック入力された場合（ステップＳ３０でＹｅｓ（Ｙ））、タクシーの種別が選択されたと判断し、タクシーの種別が紐付けられた交通情報を１加算する（ステップＳ３１）。
【００９４】
下方向にフリック入力された場合（ステップＳ３２でＹｅｓ（Ｙ））、大型乗用車の種別が選択されたと判断し、大型乗用車の種別が紐付けられた交通情報を１加算する（ステップＳ３３）。真ん中が選択された場合（ステップＳ３４でＹｅｓ（Ｙ））、即ち、種別選択領域ＶＦを表示後、フリック入力を行わずに指を離した場合、直前に入力された種別の交通情報の減算が選択されたと判断し、直前に入力された種別の交通情報を１減算する（ステップＳ３５）。
【００９５】
本実施形態によれば、異なる進入路からの車両の交通量や歩行者の交通量を、一人の調査員のみで集計することが可能となる。また、入力画面に、交通情報を入力する為のカウンタ及び道路画像が表示されることで、調査員は、直観的にカウンタを操作し、交通量の集計を実施することができる。
【００９６】
また、フリック入力などの入力方法を利用して、車両や歩行者よりも、更に細かな種別を指定して、交通情報を入力することができる。
【００９７】
また、退出路への進行を自動で集計することで、ある退出路への進行の総計を、容易に集計することが可能となる。
【００９８】
また、集計結果を道路画像上や地図上に配置したり、交通量を地図上に可視化することで、集計結果を直観的に設定することができる。
【００９９】
また、複数の交通情報記録支援装置で記録した交通情報を一括で管理し、確認することができる。そのため、例えば、複数台の交通情報記録支援装置を用いて各地で収集した交通情報を、本部のＰＣなどでまとめて確認することができる。
【産業上の利用可能性】
【０１００】
携帯情報端末で動作させることによって、交通量調査の人件費、機材費用を大幅に削減することが可能な、交通情報記録支援装置、交通情報記録支援プログラムを提供することができる。
【符号の説明】
【０１０１】
１  交通情報記録支援装置
２  記録部
３  入力画面表示手段
４  時間表示手段
５  交通情報受付手段
６  交通情報記録手段
７  集計画面表示手段
８  退出集計手段
９  位置設定手段
１０  方位設定手段
１１  交通情報出力手段
１２  外部集計取得手段
１３  地図表示手段
１４  可視化手段
１５  可視化条件変更手段
１０１  ＣＰＵ
１０２  メモリ
１０３  記憶部
１０４  通信部
１０５  入力部
１０６  出力部
１０７  ＧＰＳ受信部
１０８  オペレーティングシステム
１０９  交通情報記録支援プログラム
Ｗ１  入力画面
Ｒ  道路画像
Ｖ１（Ｖ１Ｌ、Ｖ１Ｃ、Ｖ１Ｒ）  車両カウンタ
Ｖ２（Ｖ２Ｌ、Ｖ２Ｃ、Ｖ２Ｒ）  車両カウンタ
Ｖ３（Ｖ３Ｌ、Ｖ３Ｃ、Ｖ３Ｒ）  車両カウンタ
Ｖ４（Ｖ４Ｌ、Ｖ４Ｃ、Ｖ４Ｒ）  車両カウンタ
Ｆ１（Ｆ１Ｌ、Ｆ１Ｒ）  歩行者カウンタ
Ｆ２（Ｆ２Ｌ、Ｆ２Ｒ）  歩行者カウンタ
Ｆ３（Ｆ３Ｌ、Ｆ３Ｒ）  歩行者カウンタ
Ｆ４（Ｆ４Ｌ、Ｆ４Ｒ）  歩行者カウンタ
Ｔ  入力可能時間
Ｗ２（Ｗ２Ａ、Ｗ２Ｂ）  集計結果登録画面
Ｐ  集計位置
Ｓ  集計画像
Ｗ３  地図画面
Ｍ  マーカー
Ａ１、Ａ２  矢印
Ｗ４  一覧画面
Ｗ５  付随表示画面
ＦＦ、ＶＦ  種別選択領域
ＦＦ０、ＦＦ１、ＶＦ０〜ＶＦ４  アイコン
Ｃ  表示選択領域
Ｃ０〜Ｃ７  表示アイコン
【図１】
2017215922.tif 000003
【図２】
2017215922.tif 000004
【図３】
2017215922.tif 000005
【図４】
2017215922.tif 000006
【図５】
2017215922.tif 000007
【図６】
2017215922.tif 000008
【図７】
2017215922.tif 000009
【図８】
2017215922.tif 000010
【図９】
2017215922.tif 000011
【図１０】
2017215922.tif 000012
【図１１】
2017215922.tif 000013
【図１２】
2017215922.tif 000014
【図１３】
2017215922.tif 000015
【図１４】
2017215922.tif 000016